(57)【要約】【課題】スタンド付きリモコン装置において、リモコンを見失ったときに、その居場所を容易に判明可能で、かつ見失ったり紛失したりすることを低減できる。【解決手段】モータ駆動又はロック解除によるバネ駆動を含む駆動源からの力により回動駆動されて装置本体２を立てた姿勢にすることが可能なオートスタンド５を備え、リモコン装置１による被制御対象機器の電源がオンされたときに送出される所定の電波信号を受信したときに、オートスタンド５が回動し、装置本体２が立ち上がる。そのため、装置本体２が新聞紙、衣服等の下に隠れているような場合においても、その所在が容易に判明する。【選択図】    図１
2005027058.tif 000002
【特許請求の範囲】
【請求項１】
本体側面に枠状又はロッド状のスタンドが回動自在に設けられている薄形扁平なスタンド付きリモコン装置において、
前記スタンドは、モータ駆動又はロック解除によるバネ駆動を含む駆動源からの力により回動駆動されて装置本体を立てた姿勢にすることが可能なオートスタンドと、手動により回動されて装置本体を立てた姿勢にすることが可能なマニュアルスタンドとを含み、
当該リモコン装置による被制御対象機器の電源がオンされ、又は同機器のリモコン探索キーが操作されたときに送出される所定の電波信号を受信する電波受信回路と、
この電波受信回路が所定の電波信号を受信したときに前記オートスタンドの駆動源を作動させる駆動手段とを備え、
前記オートスタンドとマニュアルスタンドとは、本体の両側面に回動軸部があり、装置本体を立てた状態にしないときは、本体側面に沿って位置して収納状態となり、
前記駆動手段が動作したとき前記オートスタンドが回動し、装置本体が立ち上がることで、その所在をユーザに報知可能にしたことを特徴とするスタンド付きリモコン装置。
【請求項２】
本体側面に枠状又はロッド状のスタンドが回動自在に設けられている薄形扁平なスタンド付きリモコン装置において、
前記スタンドは、モータ駆動又はロック解除によるバネ駆動を含む駆動源からの力により回動駆動されて装置本体を立てた姿勢にすることが可能なオートスタンドで成り、
当該リモコン装置による被制御対象機器の電源がオンされ、又は同機器のリモコン探索キーが操作されたときに送出される所定の電波信号を受信する電波受信回路と、
この電波受信回路が所定の電波信号を受信したときに前記オートスタンドの駆動源を作動させる駆動手段とを備え、
前記駆動手段が動作したとき前記オートスタンドが回動し、装置本体が立ち上がることで、その所在をユーザに報知可能にしたことを特徴とするスタンド付きリモコン装置。
【請求項３】
前記オートスタンドは、手動により回動可能なマニュアルスタンドの機能を持ち、任意に装置本体を立てた状態にすることができるようにした請求項２に記載のスタンド付きリモコン装置。
【発明の詳細な説明】
【０００１】
【発明の属する技術分野】
本発明は、テレビ、ビデオ等の電気機器をリモートコントロールするためのリモコン装置であって、その所在が分からなくなったときに、その所在位置が容易に分かるようにしたスタンド付きリモコン装置に関する。
【０００２】
【従来の技術】
従来から、この種のリモコン装置において、その所在が分からなくなったときに容易に見つけることができるように、呼び出し信号を発信する信号発令部を被制御機器に一体に設けたものが知られている（例えば、特許文献１参照）。
【０００３】
また、リモコン装置の紛失を防止するためのリモコン装置収納装置であって、リモコン装置を同収納装置から取り出し易いように工夫したものがある（例えば、特許文献２参照）。
【０００４】
また、リモコンの操作性を上げるために、本体を斜めに立てるスタンド付きのリモコン装置が知られている（特許文献３，４）。
【０００５】
【特許文献１】
特開平８−２２３６７２号公報
【特許文献２】
特開平７−２７４２６９号公報
【特許文献３】
特開２０００−３５０２７３号公報
【特許文献４】
特開２００２−１４２２８２号公報
【０００６】
【発明が解決しようとする課題】
しかしながら、上述した特許文献１に示されるようなリモコン装置においては、呼び出し信号が音声であってその方向性を掴み難いため、依然としてリモコンの所在が分かり難いといった問題がある。また、特許文献２に示されるリモコン装置においては、リモコン装置が収納装置に収納されなかった場合は、依然として所在が不明となるものであった。その他のスタンド付きリモコン装置においても、リモコンを見失ったときに、その居場所が判明するものではない。特に、薄形で扁平なリモコン装置にあっては、家庭の居間等で新聞紙や衣服が上から被さって隠れている場合に、見失い易い。
【０００７】
本発明は、上記問題を解消するものであり、リモコンを見失ったときに、その居場所を容易に判明可能で、かつ見失ったり紛失したりすることを低減できるスタンド付きリモコン装置を提供することを目的とする。
【０００８】
【課題を解決するための手段】
上記目的を達成するために、請求項１に記載の発明は、本体側面に枠状又はロッド状のスタンドが回動自在に設けられている薄形扁平なスタンド付きリモコン装置において、前記スタンドは、モータ駆動又はロック解除によるバネ駆動を含む駆動源からの力により回動駆動されて装置本体を立てた姿勢にすることが可能なオートスタンドと、手動により回動されて装置本体を立てた姿勢にすることが可能なマニュアルスタンドとを含み、当該リモコン装置による被制御対象機器の電源がオンされ、又は同機器のリモコン探索キーが操作されたときに送出される所定の電波信号を受信する電波受信回路と、この電波受信回路が所定の電波信号を受信したときに前記オートスタンドの駆動源を作動させる駆動手段とを備え、前記オートスタンドとマニュアルスタンドとは、本体の両側面に回動軸部があり、装置本体を立てた状態にしないときは、本体側面に沿って位置して収納状態となり、前記駆動手段が動作したとき前記オートスタンドが回動し、装置本体が立ち上がることで、その所在をユーザに報知可能にした。
【０００９】
上記構成においては、オートスタンドとマニュアルスタンドとは、装置本体を立てた状態にしないときは、本体側面に沿って位置して収納状態となり、コンパクトであり、マニュアルスタンドを手動で回動すれば、本体を斜めに立てた状態とすることができる。また、リモコン装置本体の居場所が分からないとき、ユーザは被制御対象機器の電源をオンし、又は同機器のリモコン探索キーを操作する。それにより、所定の電波信号が送出され、これをリモコン装置本体の電波受信回路が受信すると、駆動源が作動されてオートスタンドが回動する。それにより、リモコン装置本体が立ち上がるので、リモコン装置本体が新聞紙、衣服等の下に隠れているような場合においても、その所在が容易に判明する。
【００１０】
請求項２に記載の発明は、本体側面に枠状又はロッド状のスタンドが回動自在に設けられている薄形扁平なスタンド付きリモコン装置において、前記スタンドは、モータ駆動又はロック解除によるバネ駆動を含む駆動源からの力により回動駆動されて装置本体を立てた姿勢にすることが可能なオートスタンドで成り、当該リモコン装置による被制御対象機器の電源がオンされ、又は同機器のリモコン探索キーが操作されたときに送出される所定の電波信号を受信する電波受信回路と、この電波受信回路が所定の電波信号を受信したときに前記オートスタンドの駆動源を作動させる駆動手段とを備え、前記駆動手段が動作したとき前記オートスタンドが回動し、装置本体が立ち上がることで、その所在をユーザに報知可能にしたものである。この構成においては、リモコン装置本体の居場所が分からないとき、上記と同等の作用が得られる。
【００１１】
請求項３に記載の発明は、請求項２に記載のスタンド付きリモコン装置において、オートスタンドは、手動により回動可能なマニュアルスタンドの機能を持ち、任意に装置本体を立てた状態にすることができるようにしたものである。この構成においては、オートスタンドを手動で回動すれば、本体を斜めに立てた状態にすることができる。
【００１２】
【発明の実施の形態】
以下、本発明を具体化した一実施形態に係るスタンド付きリモコン装置について図面を参照して説明する。図１はスタンド付きリモコン装置の外観を示し、図２はその動作状態を示し、図３はスタンドの軸部構成を示す。これらの図において、リモコン装置１は、テレビ又はビデオ等の被制御対象機器用であって、薄形扁平の装置本体２の正面には各種キー３を、前面には赤外線によるリモコン信号出射部４を、両側面には回動自在で装置本体２を立てた状態にし得る枠状（又はロッド状）のスタンド５，６を備えている。
【００１３】
両スタンド５，６は、金属線又は棒材から成り、装置本体２の両側面の略中央部に設けた同軸の回動軸部７により支持されており、装置本体２を立てた状態にしないときは収納状態であって、装置本体２の側面を取り囲むように沿って上半分と下半分とに位置している。そして、一方のスタンド５は、装置本体２に内蔵のモータ（駆動源）８による駆動（又はロック解除によるバネ駆動）の力により、矢印Ａ方向に回動駆動されて装置本体２を立てた姿勢にすることが可能なオートスタンドとされている。他方のスタンド６は、手動により矢印Ｂ方向に回動されて装置本体２を立てた姿勢（この場合は、装置本体２の下端部２ｂとスタンド６とによる立脚姿勢）にすることが可能なマニュアルスタンドとされている。
【００１４】
回動軸部７は、スタンド５の軸となる端部５ａと、これを軸支するスタンド６の軸筒部６ａと、これを軸支する装置本体２の筐体に保持させたスリーブ７ａとから構成される。スタンド６の軸筒部６ａは、スリーブ７ａに摩擦抵抗をもって嵌合されており、所定以上の力が加えられなければ、その姿勢状態を保持するものとされている。
【００１５】
モータ８の駆動力は、モータ出力ギア９から、スタンド５の軸端部５ａに連結された大径歯車１０に減速して伝達される。なお、駆動伝達機構中に、ワンウェイクラッチ等（図示なし）が介在していれば、図２に示すように、スタンド５が回動して装置本体２がテーブル１１の上で斜めに立った姿勢状態から、手動でスタンド５を収納状態位置に戻すことが容易となる。また、オートスタンド５及びマニュアルスタンド６は、収納状態から矢印Ａ，Ｂ方向にいずれも例えば６０°の角度まで回動した時点で本体側面に設けたストッパーにより回動が停止するものとしている。
【００１６】
図４は、このリモコン装置１のスタンド動作のための回路構成と、被制御対象機器におけるスタンド作動のための回路構成を示す。被制御対象機器１２は、同機器にＡＣ電源を投入するための電源スイッチ１３と、機器の制御回路１４と、電波発信回路１５と、アンテナ１６とを備えている。この制御回路１４は、電源スイッチ１３がオンされると、電波発信回路１５を動作させてアンテナ１６より微弱な所定の電波信号を送出する。
【００１７】
リモコン装置１は、アンテナ２１と、電波受信回路２２と、判断回路２３と、モータ８を駆動するモータ駆動回路２４（駆動手段）とを備える。判断回路２３は、電波受信回路２２の出力に基づき所定の電波信号を受信したことを判別し、モータ駆動回路２４を所定時間（例えば１０秒）駆動する。電波受信回路２２及び判断回路２３は極めて微弱な電力を消費するだけであり、受信回路用電池２５としてはリチウム電池等を使用すればよい。モータ駆動回路２４へはリモコン用電池２６（乾電池等）から電力供給を行う。なお、所定の電波信号とは、被制御対象機器１２からの信号であることを認識するに足る単純なものでよい。
【００１８】
上記のように構成されたスタンド付きリモコン装置１の動作を以下に説明する。リモコン装置１が見当たらない（所在不明の）とき、ユーザが被制御対象機器１２の電源スイッチ１３をオン操作すると、制御回路１４は電波受信回路１５を作動させてアンテナ１６から所定の電波信号を送出する。リモコン装置１側では、この電波信号をアンテナ２１から電波受信回路２２により受信し、判断回路２３が当該電波信号を受信したと判断したとき、モータ駆動回路２４によりモータ８を所定時間作動させる。これにより、オートスタンド５は、図３に示した駆動伝達機構を経て、図１の矢印Ａ方向に回動駆動される。その結果、図２に示したように、装置本体２は斜めに立ち上がり、ユーザに所在を報知する。
【００１９】
このようにオートスタンド５が回動してリモコン装置本体２が立ち上がるので、図５に示したように、装置本体２が新聞紙、衣服等３０の下に隠れているような場合においても、その動きから、ユーザはリモコン装置１の所在場所が容易に分かる。
【００２０】
また、上記リモコン装置１においては、オートスタンド５とマニュアルスタンド６とは、装置本体２を立てた状態にしないときは、本体側面に沿って位置して収納状態となっているので、全体がコンパクトである。なお、オートスタンド５は初期の収納状態に手動にて強制的に戻すものとする。
【００２１】
さらには、マニュアルスタンド６を手動で回動すれば、装置本体２を斜めに立てた状態とすることができるので、リモコン装置１のキー部分を見易くなり、また、操作薄形扁平であるが故にリモコン装置１を見失うといったことは低減される。
【００２２】
上記では、被制御対象機器１２の電源スイッチ１３がオン操作されると、オートスタンド５が回動駆動される例を示したが、同機器１２にリモコン探索キーを備えていて、同キーがユーザにより操作されたときに、上記と同等の動作が行われるものであってもよい。また、駆動源としてモータ８に代えて、ロック解除によるバネ駆動を用いる場合は、ロック解除のために電磁石等を用いればよい。
【００２３】
なお、本発明は上記実施形態の構成に限られることなく種々の変形が可能であり、例えば、上記実施形態では、スタンドとして、オートスタンド５とマニュアルスタンド６の両者を備えたものを示したが、一つのオートスタンド５だけでもってマニュアルスタンドの機能をも併せ持つ構成としてもよい。なお、電波受信回路２２及び判断回路２３による電波信号受信確認動作は、受信回路用電池２５の長寿命化のためには、一定のインターバルをもって短時間で行うようにすればよい。
【００２４】
【発明の効果】
以上説明したように、請求項１の発明によれば、被制御対象機器の電源がオンされ、又は同機器のリモコン探索キーが操作されると、同機器から所定の電波信号が発射され、これをリモコン装置本体側で受信し、それにより駆動源が作動されオートスタンドが回動し、リモコン装置本体が立ち上がる。このリモコン装置本体の動きにより、リモコン装置本体が新聞紙、衣服等の下に隠れていて居場所が分からないようなときであっても、その所在が容易に判明し、その紛失を防止することができる。また、マニュアルスタンドを手動で回動しておけば、リモコン装置本体を斜めに立てた状態とすることができ、見失ったり紛失したりすることを低減できる。
【００２５】
請求項２の発明によれば、リモコン装置本体の居場所が分からないとき、上記と同等の効果が得られる。
【００２６】
請求項３の発明によれば、オートスタンドを手動で回動しておくことで、リモコン装置本体を斜めに立てた状態にすることができ、見失うことを低減できる。
【図面の簡単な説明】
【図１】本発明の一実施形態に係るスタンド付きリモコン装置の外観図。
【図２】同リモコン装置におけるスタンドの動作状態を示す側面図。
【図３】同リモコン装置におけるスタンドの軸支部の断面図。
【図４】リモコン装置及び被制御対象機器におけるスタンド動作のための回路ブロック図。
【図５】同リモコン装置におけるスタンドの作用を説明する側断面図。
【符号の説明】
１  リモコン装置
２  装置本体
５  オートスタンド
６  マニュアルスタンド
７  回動軸部
８  モータ（駆動源）
１２  被制御対象機器
１３  電源スイッチ
１５  電波発信回路
２２  電波受信回路
２３  判断回路
２４  モータ駆動回路（駆動手段）
【図１】
2005027058.tif 000003
【図２】
2005027058.tif 000004
【図３】
2005027058.tif 000005
【図４】
2005027058.tif 000006
【図５】
2005027058.tif 000007